(57)【要約】 【課題】  電磁継電器のサイズを変えずに、通電時の発熱を抑えることで温度上昇を低減し、大電流の通電を可能にすると共に各固定端子を容易に電気的に独立させることができる電磁継電器を提供する。【解決手段】  絶縁ベース１０の中央部に端子固定ブロック１１を固定し、電磁ブロック２０が備えている可動接点２６がメーク側及びブレーク側固定接点１２ａ，１３ａと対向するように、２個の電磁ブロック同士が点対称となる位置に圧入固定して成る電磁継電器において、端子固定ブロック１１は、ブレーク側固定端子１３の脚部に絶縁ベース１０への圧入部１３ｃを備え、メーク側及びブレーク側固定端子１２，１３の電気的連結部１４の中央にスリット部１２ｄ，１３ｄを設けて端子固定ブロック１１の固定ブロック部１１ａの外側に露出させ、電気的連結部１４の中央切断部で切断することでメーク側及びブレーク側固定端子を電気的に独立できる電磁継電器。【選択図】  図２
2007018914.tif 000002
【特許請求の範囲】
【請求項１】
コイルが巻装された一端に固定ヨークを有するコアと該コアの他端に対向して配置され、前記コイルへの通電により吸引されるアーマチュアに連動する可動接点を有する可動接点ばねを備えた電磁ブロックと、略コ字状端子の端部の外側にメーク側固定接点を備えたメーク側固定接点端子と略コ字状端子の端部の内側にブレーク側固定接点を備えたブレーク側固定接点端子を絶縁部材で一体成形することによりメーク側およびブレーク側の固定接点が各々対向するように配置した端子固定ブロックと、絶縁ベースとで構成され、前記絶縁ベースの中央部に前記端子固定ブロックを固定し、さらに、２個の前記電磁ブロックを該電磁ブロックが備える可動接点が固定接点と対向するように、かつ２個の電磁ブロック同士が点対称となる位置に圧入固定して成る電磁継電器において、前記端子固定ブロックは、前記ブレーク側固定端子の脚部に前記絶縁ベースへの圧入部を備え、前記メーク側およびブレーク側固定端子の電気的連結部の中央にスリット部を設け、該スリット部を前記端子固定ブロックの固定ブロック部の外側に露出させ、電気的連結部の中央切断部で切断することで前記メーク側およびブレーク側固定端子を電気的に独立できることを特徴とする電磁継電器。
【発明の詳細な説明】
【技術分野】
【０００１】
本発明は、電磁継電器に関し、特に自動車電装、産業機器、家電機器などに使用される電磁継電器に関する。
【背景技術】
【０００２】
近年、自動車の高級化に伴って、この自動車の自動ドアロック、パワーウィンド等に使用される電気装置を制御するために電磁リレー（電磁継電器）が多用されている。電気装置の基本的機能は、モーターの電機子あるいはソレノイドのプランジャーを、正逆回転あるいは正逆動作させるために、電気的負荷への正逆電流を制御するものである。このため、これらの電気装置には、少なくとも２個の電磁リレーが必要で、これを１個のケースに収納したものが主流となっており、例えば特許文献１に開示されているような電磁リレー装置がある。
【０００３】
図４に示す従来（特許文献１）の電磁継電器は、絶縁ベース１１０と、可動接点１２６を備えアーマチュア１２５に連動する可動接点ばね１２４を有する２個の電磁ブロック１２０と、略コ字状端子の端部の外側２箇所にメーク側固定接点１１２ａを備えたメーク側固定接点端子１１２及び略コ字状端子の端部の内側２箇所にブレーク側固定接点１１３ａを備えたブレーク側固定端子１１３を絶縁部材で一体成形することにより、メーク側及びブレーク側の固定接点が各々対向するように配置した端子固定ブロック１１１とで構成されている。
【０００４】
また、端子固定ブロック１１１のメーク側及びブレーク側端子の電気的連結部中央部は、ブロック外側に露出していて、ブレーク側は絶縁ベース１１０への圧入部１１３ｃとなっている。さらに、端子固定ブロック１１１には、ブレーク側の電気的連結部を必要に応じて切断できる貫通穴１１３ｆが設けてある。
【０００５】
また、本電磁リレー装置は、端子固定ブロック１１１を、絶縁ベース１１０中央に固定し、さらに、２個の前記電磁ブロック１２０を該電磁ブロック１２０が備えている可動接点１２４が固定接点１１２ａ、１１３ａと対向するように、かつ２個のブロック同士が点対称となる位置に配置し、圧入固定して構成されている。
【０００６】
ここで、各固定接点を電気的に独立させる場合には、図５に示すように、端子固定ブロック１１１のメーク側固定端子１１２の中央部にスリット部１１２ｄを設け、切断位置（切り欠き部）１１２ｘで切断することで、また、ブレーク側固定接点端子１１３では予め設けてある貫通穴１１３ｆの部分を切断位置（切断部）１１３ｘで切断することで実現する。
【０００７】
また、モーターやソレノイドなどの制御において、数十Ａを通電する電磁リレー装置では、通電パスを形成する接点や端子、可動バネなどの発熱、あるいはコイルからの発熱による温度上昇などが原因で動作不良を発生する可能性がある。
【０００８】
そのため、電磁リレー装置内部の温度上昇を低減する必要がある。この要求に対応するためには、リレー内部で発生した熱を外部に導出して放熱したり、あるいは、熱の発生を抑える為に固定端子の電気抵抗を下げる必要があり、固定端子の断面積を大きくしなければならない。
【０００９】
【特許文献１】実開平０４−０２７５４７号公報
【発明の開示】
【発明が解決しようとする課題】
【００１０】
従来の端子固定ブロックでは、各接点を独立させるために、図５の各貫通穴１１３ｆ部から端子の切断位置１１３ｘで端子を切断しなければならない。
【００１１】
しかしながら、固定接点端子の断面積を大きするため、板厚を厚くする必要があり、その分ブレーク側切断部の貫通穴の面積を小さくせざるを得ないため、その部分の切断には、高精度な成形機、プレス機が必要となり、結果としてコスト高となってしまう。また、この対策として、端子固定ブロックのサイズを大きくするなどがあるが、電磁リレー装置自体のサイズが、その分、大きくなるなどの欠点がある。
【００１２】
従って、本発明は、電磁継電器（電磁リレー装置）のサイズを大きくすることなく、固定端子の電気抵抗を下げるために固定端子の断面積を大きくして十分な放熱性を確保し、高容量（大電流）化でき、かつ、必要なときには各固定接点を容易に独立させることができる電磁継電器を提供することを目的とする。
【課題を解決するための手段】
【００１３】
本発明は、上記目的を達成するために成されたもので、略コ字状端子の端部の外側２箇所に接点を備えたメーク側固定接点端子と、略コ字状端子の端部の内側２箇所に接点を備えたブレーク側固定接点端子とを、絶縁部材で一体成形することにより、メーク側及びブレーク側の固定接点が各々対向するように配置した端子固定ブロックを形成し、メーク側及びブレーク側端子の電気的連結部中央部は固定ブロック部の外側に露出しておき、ブレーク側固定端子の脚部に絶縁ベースへの圧入部を設けている端子固定ブロックを装備したことを特徴とする電磁継電器が得られる。
【００１４】
また、本発明によれば、各固定端子を電気的に独立させたい場合には、前記端子固定ブロックの固定ブロック部の外側に露出した部分に予めスリットを設けておき、そこで切断することで実現する。
【００１５】
また、本発明によれば、絶縁ベースへの圧入部を、端子固定ブロックの両側に設けることにより、各固定端子を独立させる場合の切断位置を、中央部にすることができ、端子固定ブロック内の切断用の貫通穴を不必要としたことを特徴とする電磁継電器が得られる。
【００１６】
また、電気的連結部の引き回し部の構造も簡素化でき、端子の板厚、板幅を増加させることが容易にでき、端子固定ブロックのサイズを大きくすることなく、電気抵抗を下げることができることを特徴とする電磁継電器が得られる。
【００１７】
即ち、本発明によれば、コイルが巻装された一端に固定ヨークを有するコアと、このコアの他端に対向して配置されたコイルへの通電により吸引されるアーマチュアに連動する可動接点を有する可動接点ばねを備えた電磁ブロックと、略コ字状端子の端部の外側２箇所に接点を備えたメーク側固定接点端子と略コ字状端子の端部の内側２箇所に接点を備えたブレーク側固定接点端子とを絶縁部材で一体成形することによりメーク側及びブレーク側の固定接点が各々対向するように配置した端子固定ブロックと、絶縁ベースとで構成され、絶縁ベースの中央部に前記端子固定ブロックを圧入固定し、さらに、２個の前記電磁ブロックをこの電磁ブロックが備えている可動接点が固定接点と対向するように、かつ２個電磁のブロック同士が点対称となる位置に圧入固定して成る電磁継電器において、前記端子固定ブロックは、前記ブレーク側固定端子の脚部に前記絶縁ベースへの圧入部を備え、前記メーク側及びブレーク側固定端子の電気的連結部の中央にスリット部を設け、このスリット部を前記端子固定ブロックの固定ブロック部の外側に露出させ、電気的連結部の中央切断部で切断することで、前記メーク側及びブレーク側固定端子を電気的に独立できることを特徴とした電磁継電器が得られる。
【発明の効果】
【００１８】
本発明により、メーク側及びブレーク側固定端子の電気的連結部の中央に設けたスリット部を端子固定ブロックの固定ブロック部の外側に露出させ、露出した電気的連結部の中央切断部でスリット部を切断することで、メーク側及びブレーク側固定端子を電気的に容易に独立させることができる。従って、露出した電気的連結部の中央切断部でスリット部を容易に切断できることから、メーク側及びブレーク側固定端子の板厚、板幅を増加させることができ、端子固定ブロックのサイズを大きくすることなく、メーク側及びブレーク側固定端子の電気抵抗を下げることができる。
【発明を実施するための最良の形態】
【００１９】
以下、本発明の最良の形態を具体的に説明する。
【００２０】
図１は、本発明による電磁継電器の斜視図である。また、図２は、本発明による電磁継電器の分解斜視図である。また、図３は、本発明による電磁継電器に用いられる端子固定ブロックの説明図で、図３（ａ）は正面図、図３（ｂ）は側面図である。
【００２１】
図１及び図２において、電磁継電器１は、コイル２２が巻装されたコア２１と、コア２１の一端に固定されたヨーク２３と、コア２１の他端に対向して配置されコイル２２への通電によりコア２１に吸引されるアーマチュア２５と、可動接点２６を備えアーマチュア２５に連動する可動接点ばね２４を有する２個の電磁ブロック２０を有している。
【００２２】
さらに、略コ字状端子の端部の外側２箇所にメーク側固定接点１２ａを備えたメーク側固定端子１２と、略コ字状端子の端部の内側２箇所にブレーク側固定接点１３ａを備えたブレーク側固定端子１３とを、絶縁部材で一体成形することにより、メーク側及びブレーク側固定接点１２ａ及び１３ａが各々対向するように配置した端子固定ブロック１１を有する。
【００２３】
この端子固定ブロック１１は、ブレーク側接続端子１３ｂの脚部に絶縁ベース１０への圧入部１３ｃを備え、メーク側及びブレーク側固定端子１２及び１３の電気的連結部１４の中央部は端子固定ブロック１１の固定ブロック部１１ａの外側に露出している。
【００２４】
また、電磁継電器１は、端子固定ブロック１１を絶縁ベース１０の中央位置に圧入固定し、その両側に電磁ブロック２０の可動接点２６がメーク側及びブレーク側固定接点１２ａ及び１３ａと対向するように電磁ブロック２０を配置し、かつ、２個の電磁ブロック２０同士が点対称となる位置に圧入固定して構成されている。
【００２５】
ここで端子固定ブロック１１の構造を図３により説明する。図３において、図３（ａ）は正面図、図３（ｂ）は側面図である。また、前記絶縁ベース１０への圧入部１３ｃは、ブレーク側接続端子１３ｄの脚部に形成している。また、中央露出部のブレーク側端子固定枠１３ｅは、メーク側またはブレーク側固定端子１２，１３を一体成形するときの端子の固定に使用する部分で、絶縁ベース１０へ組み込む前に、中央切断部１３ｘで切断される。
【００２６】
また、メーク側固定端子１２及びブレーク側固定端子１３で構成される一対の端子を電気的に独立させる場合には、絶縁ベースへ組み込む前に、メーク側固定端子１２に形成されたスリット部１２ｄを含む電気的連結部１４の中央切断部１２ｘの位置で予め切断することにより実現する。
【００２７】
次に、本発明による実施例の効果について説明する。表１に、メーク側及びブレーク側固定端子の板厚を０．４ｍｍ（従来品）から０．７ｍｍ（本実施例品）に増加した端子固定ブロックにおける端子固定ブロックのサイズ及びブレーク側固定接点と接続端子間の電気抵抗を比較した結果を示す。
【００２８】
【表１】
2007018914.tif 000003
【００２９】
表１から明らかなように、本発明による固定端子ブロックによれば、固定端子ブロックのサイズを変えることなく、（メーク側及びブレーク側）固定接点と接続端子間の電気抵抗を半減させることができる。
【産業上の利用可能性】
【００３０】
本発明による電磁継電器は、モーターやソレノイドなどの比較的大きな電流の駆動制御が必要で、発熱の大きい自動車電装の電磁継電器への適用が好適であるほか、産業機器、家電機器などにも利用可能である。
【図面の簡単な説明】
【００３１】
【図１】本発明に係わる電磁継電器の斜視図。
【図２】本発明に係わる電磁継電器の分解斜視図。
【図３】本発明に係わる電磁継電器に用いられる端子固定ブロックの説明図。図３（ａ）は正面図、図３（ｂ）は側面図。
【図４】従来の電磁継電器を説明するための分解斜視図。
【図５】従来の電磁継電器に用いられる端子固定ブロックの正面図。
【符号の説明】
【００３２】
１    電磁継電器
１０，１１０    絶縁ベース
１０ａ，１１０ａ    端子固定ブロック圧入穴
１０ｂ，１１０ｂ    電磁ブロック圧入穴
１１，１１１    端子固定ブロック
１１ａ    固定ブロック部
１２，１１２    メーク側固定端子
１２ａ，１１２ａ    メーク側固定接点
１２ｂ，１１２ｂ    メーク側接続端子
１２ｄ，１１２ｄ    スリット部
１２ｘ    中央切断部
１１２ｘ    切り欠き部
１３，１１３    ブレーク側固定端子
１３ａ，１１３ａ    ブレーク側固定接点
１３ｂ，１１３ｂ    ブレーク側接続端子
１３ｃ，１１３ｃ    圧入部
１３ｄ，１１３ｄ    スリット部
１３ｅ    ブレーク側端子固定枠
１３ｆ，１１３ｆ    貫通穴
１３ｘ    中央切断部
１１３ｘ    切断位置
１４，１１４    電気的連結部
２０，１２０    電磁ブロック
２１，１２１    コア
２２，１２２    コイル
２３，１２３    ヨーク
２４，１２４    可動接点ばね
２５，１２５    アーマチュア
２６，１２６    可動接点
２７，１２７    ヒンジ部
２８，１２８    コモン端子
２９，１２９    コイル端子
【図１】
2007018914.tif 000004
【図２】
2007018914.tif 000005
【図３】
2007018914.tif 000006
【図４】
2007018914.tif 000007
【図５】
2007018914.tif 000008